(57)【要約】【課題】１又はそれ以上の鍛錬装置へ結合し、鍛錬装置によって生成された電気又は電気エネルギ又は電力を集積又は収集し、且つ／あるいは、集積又は収集された電気又は電気エネルギ又は電力を、他の電気設備の他の電気部品又は素子に給電するために供給する電気エネルギ集積メカニズムを提供する。【解決手段】電気エネルギ集積メカニズムは、電気エネルギを生成する電気発生器と、電気発生器によって生成された電気エネルギを蓄えるエネルギ貯蔵装置と、出力端子とを夫々が有する２又はそれ以上の鍛錬装置と、鍛錬装置の出力端子へ結合され、エネルギ貯蔵装置から電気エネルギを受け取って、それを交流に変換する変換装置と、変換装置へ結合され、変換装置から交流を受け取って、集積された電気エネルギを、他の電気設備に給電するために供給する電気蓄積部とを有する。【選択図】図３
2012182970.tif 000002
【特許請求の範囲】
【請求項１】
第１の鍛錬装置及び少なくとも１つの第２の鍛錬装置と、
変換装置と、
電気蓄積部と
を有し、
前記第１の鍛錬装置及び前記少なくとも１つの第２の鍛錬装置は夫々、電気エネルギを生成する電気発生器と、該電気発生器によって生成された電気エネルギを蓄えるエネルギ貯蔵装置と、出力端子とを有し、
前記変換装置は、前記第１の鍛錬装置及び前記少なくとも１つの第２の鍛錬装置の夫々の出力端子へ結合され、前記エネルギ貯蔵装置から電気エネルギを受け取り、該電気エネルギを交流に変換し、
前記電気蓄積部は、前記変換装置へ結合され、該変換装置から交流を受け取る、
電気エネルギ集積メカニズム。
【請求項２】
前記変換装置は、前記エネルギ貯蔵装置からの電気エネルギをモニタするエネルギモニタ部を有する、
請求項１に記載の電気エネルギ集積メカニズム。
【請求項３】
前記第１の鍛錬装置及び前記少なくとも１つの第２の鍛錬装置は夫々、
ユーザによって動かされる入力メカニズムと、
前記入力メカニズムへ結合され且つ前記電気発生器へ結合され、該電気発生器を作動させて電気エネルギを発生させる出力メカニズムと
を有する、請求項１に記載の電気エネルギ集積メカニズム。
【請求項４】
前記第１の鍛錬装置及び前記少なくとも１つの第２の鍛錬装置は夫々、
前記電気発生器へ結合され、電気エネルギを直流に変換する整流器を有する、
請求項１に記載の電気エネルギ集積メカニズム。
【請求項５】
前記第１の鍛錬装置及び前記少なくとも１つの第２の鍛錬装置は夫々、
前記整流器へ結合され、該整流器からの電気エネルギを検出する電圧検出器及び電流検出器を有する、
請求項４に記載の電気エネルギ集積メカニズム。
【請求項６】
前記第１の鍛錬装置及び前記少なくとも１つの第２の鍛錬装置は夫々、
前記電圧検出器及び前記電流検出器へ結合される制御装置を有する、
請求項５に記載の電気エネルギ集積メカニズム。
【請求項７】
前記制御装置は夫々、
ユーザによって操作される設定部を有する、
請求項６に記載の電気エネルギ集積メカニズム。
【請求項８】
前記制御装置は夫々、
表示部を有する、
請求項６に記載の電気エネルギ集積メカニズム。
【請求項９】
前記第１の鍛錬装置及び前記少なくとも１つの第２の鍛錬装置は夫々、
前記電流検出器へ結合され且つ前記エネルギ貯蔵装置へ結合される制御部を有する、
請求項５に記載の電気エネルギ集積メカニズム。
【発明の詳細な説明】
【技術分野】
【０００１】
本発明は、電気エネルギ集積メカニズムに関し、より具体的には、１又はそれ以上の鍛錬装置へ結合し、鍛錬装置によって生成された電気又は電気エネルギ又は電力を集積又は収集し、且つ／あるいは、集積又は収集された電気又は電気エネルギ又は電力を、他の電気設備の他の電気部品又は素子に給電するために供給する電気エネルギ集積メカニズムに関する。
【背景技術】
【０００２】
典型的な鍛錬装置（例えば、自転車漕ぎメカニズム又は乗車シミュレーションメカニズム、歩行又は乗車メカニズム、楕円運動メカニズム、トレッドミル又はジョギングメカニズム、ボート漕ぎメカニズム等）は、他の電気部品又は素子に給電するために電気エネルギを発生させる電気エネルギ発生メカニズム又は装置を有することがある。
【０００３】
例えば、米国特許第５１９２２５５号明細書（Dalebout等）、米国特許第５２７９５２８号明細書（Dalebout等）、米国特許第５４３１６１２号明細書（Holden）、米国特許第５６２６５３８号明細書（Dalebout等）、米国特許第５６６２５５７号明細書（Watterson等）、米国特許第５６９０４１０号明細書（Lin）、及び米国特許出願公開第２００６／０２３２９８８（Ａ１）号明細書（Wang等）は、幾つかの典型的な鍛錬装置（ユーザによって操作され又は動かされ、電気エネルギを生成して、生成された電気エネルギを、他の電気部品又は素子に給電するために供給する電気エネルギ発生メカニズム又は装置を夫々有する自転車漕ぎメカニズム若しくは乗車シミュレーションメカニズム又はトレッドミル又はジョギングメカニズム）を開示している。
【先行技術文献】
【特許文献】
【０００４】
【特許文献１】米国特許第５１９２２５５号明細書
【特許文献２】米国特許第５２７９５２８号明細書
【特許文献３】米国特許第５４３１６１２号明細書
【特許文献４】米国特許第５６２６５３８号明細書
【特許文献５】米国特許第５６６２５５７号明細書
【特許文献６】米国特許第５６９０４１０号明細書
【特許文献７】米国特許出願公開第２００６／０２３２９８８（Ａ１）号明細書
【発明の概要】
【発明が解決しようとする課題】
【０００５】
しかし、通常、典型的な鍛錬装置によって生成される電気エネルギは、同じ典型的な鍛錬装置の電気部品又は素子にのみ給電するためにしか使用されず、他の典型的な鍛錬装置の他の電気部品又は素子に給電するために使用又は集積又は収集されることはない。従って、典型的な鍛錬装置によって収集される電気エネルギは、適切に使用されないことがある。
【０００６】
本発明は、鍛錬装置のための従来の電気エネルギ集積メカニズムの上記欠点を軽減し又は取り除くために現れた。
【０００７】
本発明の主たる目的は、１又はそれ以上の鍛錬装置へ結合し、鍛錬装置によって生成された電気又は電気エネルギ又は電力を集積又は収集し、且つ／あるいは、集積又は収集された電気又は電気エネルギ又は電力を、他の電気設備の他の電気部品又は素子に給電するために供給する電気エネルギ集積メカニズムを提供することである。
【課題を解決するための手段】
【０００８】
本発明の１つの態様に従って、第１の鍛錬装置及び少なくとも１つの第２の鍛錬装置と、変換装置と、電気蓄積部とを有し、前記第１の鍛錬装置及び前記少なくとも１つの第２の鍛錬装置は夫々、電気エネルギを生成する電気発生器と、該電気発生器によって生成された電気エネルギを蓄えるエネルギ貯蔵装置と、出力端子とを有し、前記変換装置は、前記第１の鍛錬装置及び前記少なくとも１つの第２の鍛錬装置の夫々の出力端子へ結合され、前記エネルギ貯蔵装置から電気エネルギを受け取り、該電気エネルギを交流に変換し、前記電気蓄積部は、前記変換装置へ結合され、該変換装置から交流を受け取る、電気エネルギ集積メカニズムが提供される。
【０００９】
前記第１の鍛錬装置及び前記少なくとも１つの第２の鍛錬装置は夫々、ユーザによって動かされる入力メカニズムと、前記入力メカニズムへ結合され且つ前記電気発生器へ結合され、該電気発生器を作動させて電気エネルギを発生させる出力メカニズムとを有する。
【００１０】
前記変換装置は、前記エネルギ貯蔵装置からの電気エネルギをモニタするエネルギモニタ部を有する。前記第１の鍛錬装置及び前記少なくとも１つの第２の鍛錬装置は夫々、前記電気発生器へ結合され、電気エネルギを直流に変換する整流器を有する。
【００１１】
前記第１の鍛錬装置及び前記少なくとも１つの第２の鍛錬装置は夫々、前記整流器へ結合され、該整流器からの電気エネルギを検出する電圧検出器及び電流検出器を有する。
【００１２】
前記第１の鍛錬装置及び前記少なくとも１つの第２の鍛錬装置は夫々、前記電圧検出器及び前記電流検出器へ結合される制御装置を有する。前記制御装置は夫々、ユーザによって操作される設定部を有し、且つ、前記制御装置は夫々、表示部を有する。
【００１３】
前記第１の鍛錬装置及び前記少なくとも１つの第２の鍛錬装置は夫々、前記電流検出器へ結合され且つ前記エネルギ貯蔵装置へ結合される制御部を有する。
【発明の効果】
【００１４】
本発明の実施形態によれば、１又はそれ以上の鍛錬装置へ結合し、鍛錬装置によって生成された電気又は電気エネルギ又は電力を集積又は収集し、且つ／あるいは、集積又は収集された電気又は電気エネルギ又は電力を、他の電気設備の他の電気部品又は素子に給電するために供給する電気エネルギ集積メカニズムを提供することが可能となる。
【図面の簡単な説明】
【００１５】
【図１】本発明に従う電気エネルギ集積メカニズムの簡単な配置を表すブロック図である。
【図２】電気エネルギ集積メカニズムの一般的な配置を表す他のブロック図である。
【図３】電気エネルギ集積メカニズムの他の配置を表す更なるブロック図である。
【図４】電気エネルギ集積メカニズムのための鍛錬装置の詳細な配置を表す更なる他のブロック図である。
【図５】電気エネルギ集積メカニズムの他の配置を表す、図３に類似する更なる他のブロック図である。
【発明を実施するための形態】
【００１６】
本発明の更なる目的及び利点については、添付の図面を参照しながら以下の詳細な説明を読むことで明らかになるであろう。
【００１７】
図面、そのうち、最初に図１〜３を参照すると、本発明に従う電気エネルギ集積メカニズムは、１又はそれ以上の鍛錬装置１，２，・・・，ｎを有し、各鍛錬装置は、電気エネルギを生成する電気発生器３１，３２，・・・，３ｎ（図３）と、変圧又は変換装置８０の夫々の入力端子８１，８１，・・・，８ｎへ結合されている出力端子１１，１２，・・・，１ｎとを有し、変換装置８０は、鍛錬装置１，２，・・・，ｎによって生成された電気又は電気エネルギ又は電力を集積又は収集し、且つ／あるいは、電気又は電気エネルギ又は電力を交流に変換し、そして、集積又は収集された電気又は電気エネルギ又は電力を出力端子８９から電気蓄積部９０へ供給するために設けられている。次いで、電気又は電気エネルギ又は電力は、他の電気設備等（図示せず。）の他の電気部品又は素子に給電するために使用されてよい。
【００１８】
図４に示されるように、鍛錬装置１，２，・・・，ｎは夫々、出力メカニズム１４を動かす又は作動させる又は操作するためにユーザによって動かされる又は操作される入力メカニズム１３を有する。各鍛錬装置において、出力メカニズム１４は、入力メカニズム１３へ接続又は結合され且つ電気発生器３１，３２，・・・，３ｎへ接続又は結合されており、電気発生器３１，３２，・・・，３ｎを作動させ又は操作して電気又は電気エネルギ又は電力を発生させ、次いで、電気発生器３１，３２，・・・，３ｎは、整流器１５へ接続又は結合されている。整流器１５は、鍛錬装置１，２，・・・，ｎの電気発生器３１，３２，・・・，３ｎによって生成された電気又は電気エネルギ又は電力を直流に変換してよく、次いで、整流器１５は、整流器１５からの電気又は電気エネルギ又は電力を検知又は検出する電圧検出器１６及び電流検出器１７へ接続又は結合されている。
【００１９】
次いで、電圧検出器１６及び電流検出器１７は、制御装置４０へ接続又は結合されている。制御装置４０は、ユーザ１０のための鍛錬装置１，２，・・・，ｎの動作条件（例えば、鍛錬装置１，２，・・・，ｎによって適用又は提供される抵抗、ねじれ、又は電力）を選択又は選定又は設定するためにユーザ１０によって動かされる又は操作される設定部４１と、制御装置４０の情報を表示又は提示するためのディスプレイ又は表示部４２とを有する。電流検出器１７は、更に、スイッチング又は制御部１８へ接続又は結合されており、次いで、スイッチング又は制御部１８は、エネルギ貯蔵装置５１，５２，・・・，５ｎへ接続又は結合されており、エネルギ貯蔵装置５１，５２，・・・，５ｎは、鍛錬装置１，２，・・・，ｎの整流器１５及び電気発生器３１，３２，・・・，３ｎからの電気エネルギを蓄えるために、及び／又は、鍛錬装置１，２，・・・，ｎの他の電気部品又は素子に給電するよう電気エネルギを供給するために、使用されてよい。
【００２０】
制御又はスイッチング部１８は、整流器１５からの電気エネルギが、エネルギ貯蔵装置５１，５２，・・・，５ｎに一時的に蓄えられること可能にするよう、整流器１５からエネルギ貯蔵装置５１，５２，・・・，５ｎへ電気エネルギを切り換え又は制御するために使用されてよい。次いで、エネルギ貯蔵装置５１，５２，・・・，５ｎに蓄えられている電気エネルギは、エネルギ貯蔵装置５１，５２，・・・，５ｎにおいて蓄えられている又は集積されている電気エネルギが変圧又は変換装置８０へ供給されるほど十分に大きい場合に、変圧又は変換装置８０へ供給されてよい。すなわち、エネルギ貯蔵装置５１，５２，・・・，５ｎは、一時的に電気エネルギを蓄えてよく、次いで、エネルギ貯蔵装置５１，５２，・・・，５ｎにおいて蓄えられている又は集積されている電気エネルギが十分に大きい場合には、その蓄えられている電気エネルギを変圧器又は変換装置８０へ供給してよい。
【００２１】
また、図３及び４に示されるように、変圧又は変換装置８０は、電気エネルギをモニタし制御し、且つ、変圧又は変換装置８０を作動させ、又は操作し、電気エネルギを交流に変換して、変換された電気エネルギを出力端子８９から電気蓄積部９０へ供給するエネルギモニタ部８８を有する。それにより、鍛錬装置１，２，・・・，ｎによって生成される電気又は電気エネルギ又は電力は、エネルギ貯蔵装置５１，５２，・・・，５ｎにおいて集積又は収集されてよく、交流に変換されて、更なる使用のために電気貯蔵部９０へ供給されてよい。
【００２２】
動作において、図２〜４に示されるように、鍛錬装置１，２，・・・，ｎの電気発生器３１，３２，・・・，３ｎは、電気エネルギを発生させるようユーザによって作動され、又は操作されてよく、次いで、電気エネルギは、整流器１５によって直流へと整流されてよく、次いで、整流された直流は、エネルギ貯蔵装置５１，５２，・・・，５ｎにおいて収集又は蓄積又は集積され、次いで、交流に変換され、次いで、更なる使用のために電気貯蔵部９０へ供給されてよい。図３に示されるように、変圧又は変換装置８０は、鍛錬装置１，２，・・・，ｎの出力端子１１，１２，・・・，１ｎへ夫々接続又は結合するための多数の入力端子８１，８２，・・・，８ｎを有してよい。代替的に、図５に示されるように、鍛錬装置１，２，・・・，ｎの出力端子１１，１２，・・・，１ｎは、変圧又は変換装置８０の単一の入力端子８１へ接続又は結合されてもよい。
【００２３】
然るに、本発明に従う電気エネルギ集積メカニズムは、１又はそれ以上の鍛錬装置へ結合し、１又はそれ以上の鍛錬装置へ結合し、鍛錬装置によって生成された電気又は電気エネルギ又は電力を集積又は収集し、且つ／あるいは、集積又は収集された電気又は電気エネルギ又は電力を、他の電気設備の他の電気部品又は素子に給電するために供給するために使用されてよい。
【００２４】
本発明はある程度の具体性を持って記載されているが、当然に、本開示は単に一例として与えられており、詳細な構成並びに部品の組み合わせ及び配置における多くの変更が、添付の特許請求の範囲で定義される本発明の技術的範囲を逸脱しない範囲で行われてよい。
【符号の説明】
【００２５】
１，２，・・・，ｎ        鍛錬装置
１０                      ユーザ
１１，１２，・・・，１ｎ  出力端子
１５                      整流器
１６                      電圧検出器
１７                      電流検出器
１８                      制御部
３１，３２，・・・，３ｎ  電気発生器
４０                      制御装置
４１                      設定部
４２                      表示部
５１，５２，・・・，５ｎ  エネルギ貯蔵装置
８０                      変換装置
８８                      エネルギモニタ部
９０                      電気蓄積部
【図１】
2012182970.tif 000003
【図２】
2012182970.tif 000004
【図３】
2012182970.tif 000005
【図４】
2012182970.tif 000006
【図５】
2012182970.tif 000007